(57)【要約】【課題】操作性の向上したカメラを提供する。【解決手段】本発明のカメラ１００は、撮像部３０に撮像される被写体画像の露出状態を自動的に調整する自動露出制御手段２０４と、自動露出制御手段２０４によって得られた露出状態を固定可能な第１ロック釦９１と、第１ロック釦９１に対して、一度押圧されると、露出状態を固定し、押圧が解除されても、再度、第１ロック釦９１が押圧されるまで露出状態の固定を維持する第１の設定第１の設定モード、または、一度押圧されると露出状態を固定し、押圧が解除されると露出状態の固定を維持する第２の設定第２の設定モードのいずれかを選択可能な第１設定部２２７と、を備える静止画撮影及び動画撮影が可能なカメラ１００において、動画撮影時以外における第１設定部２２７の設定にかかわらず、動画撮影時においては、第１ロック釦９１に対して第２の設定が割り当てられること、を特徴とする。【選択図】図２
2011015208.tif 000002
【特許請求の範囲】
【請求項１】
撮像部に撮像される被写体画像の露出状態を自動的に調整する自動露出制御手段と、
前記自動露出制御手段によって得られた露出状態を固定可能な第１ロック釦と、
前記第１ロック釦に対して、一度押圧されると、前記露出状態を固定し、押圧が解除されても、再度、前記第１ロック釦が押圧されるまで露出状態の固定を維持する第１の設定、または、一度押圧されると露出状態を固定し、押圧が解除されると露出状態の固定を維持する第２の設定のいずれかを選択可能な第１設定部と、
を備える静止画撮影及び動画撮影が可能なカメラにおいて、
動画撮影時以外における前記第１設定部の設定にかかわらず、動画撮影時においては、前記第１ロック釦に対して前記第２の設定が割り当てられること、を特徴とするカメラ。
【請求項２】
撮像部に撮像される被写体画像を自動的に合焦させる自動合焦手段と、
前記自動合焦手段によって得られた焦点位置を固定可能な第２ロック釦と、
前記第２ロック釦に対して、一度押圧されると前記焦点位置を固定し、押圧が解除されても、再度、前記第２ロック釦が押圧されるまで焦点位置の固定を維持する第３の設定または、一度押圧されると焦点位置を固定し、押圧が解除されると焦点位置の固定を維持する第４の設定のいずれかを選択可能な第２設定部と、
を備える静止画撮影及び動画撮影可能なカメラにおいて、
静止画撮影時以外における前記第２設定部の設定にかかわらず、動画撮影時においては、前記第２ロック釦に対して前記第４の設定が割り当てられること、を特徴とするカメラ。
【請求項３】
請求項１に記載のカメラであって、
撮像部に撮像される被写体画像を自動的に合焦させる自動合焦手段とを備え、
前記第１ロック釦は、前記自動合焦手段によって得られた焦点位置を固定可能であり、
前記第１設定部は、前記第１ロック釦に対して、一度押圧されると前記焦点位置を固定し、押圧が解除されても、再度、前記第１ロック釦が押圧されるまで焦点位置の固定を維持する第３の設定、または、一度押圧されると焦点位置を固定し、押圧が解除されると焦点位置の固定を維持する第４の設定のいずれかを選択可能であること、
を特徴とするカメラ。
【請求項４】
請求項１から３のいずれか１項に記載のカメラであって、
前記カメラにおける前記動画撮影時以外の状態は、静止画撮影時及び撮影した動画を記録せずに表示のみするスルー画撮影状態を含むこと、
を特徴とするカメラ。
【請求項５】
請求項１または３に記載のカメラであって、
前記第１ロック釦は、前記動画撮影が終了した後、前記静止画撮影時以外における前記第１設定部の設定に戻ること、
を特徴とするカメラ。
【請求項６】
請求項２に記載のカメラであって、
前記第２ロック釦は、前記動画撮影が終了した後、前記静止画撮影時以外における前記第２設定部の設定に戻ること、
を特徴とするカメラ。
【発明の詳細な説明】
【技術分野】
【０００１】
本発明は、静止画撮影と動画撮影とが可能なカメラに関する。
【背景技術】
【０００２】
従来、静止画撮影が可能なカメラにおいて、撮像部に撮像される被写体画像の露出状態を固定するＡＥロック釦や、撮像部に撮像される被写体画像の焦点位置を固定するＡＦロック釦を有するものがある（例えば、特許文献１参照）。
また、これらのロック釦に関して、静止画撮影時において、ロック釦を押している間は露出状態又は焦点位置が固定されるという設定と、ロック釦を押したら露出状態又は焦点位置が固定され、再度押したらその固定が解除されるという設定とが選択可能なものもある。
【先行技術文献】
【特許文献】
【０００３】
【特許文献１】特開平８−１８４８７４号公報
【発明の概要】
【発明が解決しようとする課題】
【０００４】
しかし、静止画撮影及び動画撮影が可能なカメラにおいて、静止画撮影を行っていたときの設定を、そのまま動画撮影時においても適用すると、操作性が悪い場合がある。
【０００５】
本発明の課題は、操作性の向上したカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載のカメラは、撮像部（３０）に撮像される被写体画像の露出状態を自動的に調整する自動露出制御手段（２０４）と、前記自動露出制御手段（２０４）によって得られた露出状態を固定可能な第１ロック釦（９１，９１Ｅ）と、前記第１ロック釦（９１，９１Ｅ）に対して、一度押圧されると、前記露出状態を固定し、押圧が解除されても、再度、前記第１ロック釦（９１，９１Ｅ）が押圧されるまで露出状態の固定を維持する第１の設定（第１の設定モード）、または、一度押圧されると露出状態を固定し、押圧が解除されると露出状態の固定を維持する第２の設定（第２の設定モード）のいずれかを選択可能な第１設定部（２２７）と、を備える静止画撮影及び動画撮影が可能なカメラ（１００）において、動画撮影時以外における前記第１設定部（２２７）の設定にかかわらず、動画撮影時においては、前記第１ロック釦（９１，９１Ｅ）に対して前記第２の設定が割り当てられること、を特徴とするカメラ（１００）である。
請求項２に記載のカメラは、撮像部（３０）に撮像される被写体画像を自動的に合焦させる自動合焦手段（２０３）と、前記自動合焦手段（２０３）によって得られた焦点位置を固定可能な第２ロック釦（９１，９１Ｆ）と、前記第２ロック釦（９１，９１Ｆ）に対して、一度押圧されると前記焦点位置を固定し、押圧が解除されても、再度、前記第２ロック釦（９１，９１Ｆ）が押圧されるまで焦点位置の固定を維持する第３の設定（第１の設定モード）または、一度押圧されると焦点位置を固定し、押圧が解除されると焦点位置の固定を維持する第４の設定（第２の設定モード）のいずれかを選択可能な第２設定部（２２７）と、を備える静止画撮影及び動画撮影可能なカメラ（１００）において、静止画撮影時以外における前記第２設定部（２２７）の設定にかかわらず、動画撮影時においては、前記第２ロック釦（９１，９１Ｆ）に対して前記第４の設定が割り当てられること、を特徴とするカメラ（１００）である。
請求項３に記載のカメラは、請求項１に記載のカメラ（１００）であって、撮像部（３０）に撮像される被写体画像を自動的に合焦させる自動合焦手段（２０３）とを備え、前記第１ロック釦（９１）は、前記自動合焦手段（２０３）によって得られた焦点位置を固定可能であり、前記第１設定部（２２７）は、前記第１ロック釦（９１）に対して、一度押圧されると前記焦点位置を固定し、押圧が解除されても、再度、前記第１ロック釦（９１）が押圧されるまで焦点位置の固定を維持する第３の設定（第１の設定モード）、または、一度押圧されると焦点位置を固定し、押圧が解除されると焦点位置の固定を維持する第４の設定（第２の設定モード）のいずれかを選択可能であること、を特徴とするカメラ（１００）である。
請求項４に記載のカメラは、請求項１から３のいずれか１項に記載のカメラ（１００）であって、前記カメラ（１００）における前記動画撮影時以外の状態は、静止画撮影時及び撮影した動画を記録せずに表示のみするスルー画撮影状態を含むこと、を特徴とするカメラ（１００）である。
請求項５に記載のカメラは、請求項１または３に記載のカメラ（１００）であって、前記第１ロック釦（９１，９１Ｅ）（９１，９１Ｅ）は、前記動画撮影が終了した後、前記静止画撮影時以外における前記第１設定部（２２７）の設定に戻ること、を特徴とするカメラ（１００）である。
請求項６に記載のカメラは、請求項２に記載のカメラ（１００）であって、前記第２ロック釦（９１，９１Ｆ）は、前記動画撮影が終了した後、前記静止画撮影時以外における前記第２設定部（２２７）の設定に戻ること、を特徴とするカメラ（１００）である。
なお、符号を付して説明した構成は、適宜改良してもよく、また、少なくとも一部を他の構成物に代替してもよい。
【発明の効果】
【０００８】
本発明によれば、操作性の向上したカメラを提供することができる。
【図面の簡単な説明】
【０００９】
【図１】本発明の一実施形態としてのカメラの概略図である。
【図２】本発明のカメラの制御システム構成を示すブロック図である。
【図３】カメラの背面図である。
【図４】静止画撮影時のフローチャートである。
【図５】動画撮影時のフローチャートである。
【図６】ＡＦ／ＡＥロック釦の操作にかかるＡＦ／ＡＥ固定制御のフローチャートである。
【発明を実施するための形態】
【００１０】
以下、図面等を参照して、本発明の実施形態について説明する。
図１は、本発明の一実施形態としてのカメラ１００の概略図である。図２は、本発明のカメラ１００の制御システム構成を示すブロック図である。
なお、図１には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
カメラ１００は、レンズ交換式のデジタル一眼レフカメラであって、カメラ本体１００ａと、該カメラ本体１００ａに対して着脱可能な撮像レンズ１０とにより構成されている。詳細には図示していないが、カメラ本体１００ａはカメラマウントを備え、また、撮像レンズ１０はレンズマウントを備えており、カメラマウントとレンズマウントとの結合によって、カメラ本体１００ａに対して撮像レンズ１０が光軸ＯＡを一致させた状態で装着されるようになっている。これにより、カメラ本体１００ａに対して撮像レンズ１０が着脱可能となっており、撮影対象に応じて焦点距離や機能等の異なる種種の撮像レンズ１０を交換して用いることができる。
【００１２】
カメラ１００は、オートフォーカス対応の撮像レンズ１０を使用することで、オートフォーカスによってピント合わせ（合焦）を行う機能を備えている。なお、以下の説明において、オートフォーカスはＡＦとも略記する。
撮像レンズ１０は、絞り１１を備え、また、移動操作されることで焦点調整を行う合焦レンズ群を備えている。ＡＦ対応の撮像レンズ１０の場合、ＡＦの際の合焦レンズ群の移動は、後述するレンズ駆動回路２２６によって行われる。
【００１３】
カメラ本体１００ａは、光軸ＯＡに沿って、ミラー部２０と、撮像部３０とを備える。さらに、撮像レンズ１０に入射した光のうちの、ミラー部２０によって図中下方に向けられた光が入射する焦点検出部４０と、ミラー部２０によって図中上方に向けられた光が入射するファインダー部５０と、を備える。
【００１４】
ミラー部２０は、撮像レンズ１０の出射側に配置され、メインミラー２１及びサブミラー２２を備える。メインミラー２１は、撮像レンズ１０を通過した光をファインダー部５０に向けて反射する。メインミラー２１は、その一部がハーフミラーとなっており、光の一部を透過させる。また、メインミラー２１は、撮影時にレリーズ釦（図示せず）が押されると、反射面が光軸ＯＡに対して略平行となるミラーアップ位置に退避する。サブミラー２２は、メインミラー２１のハーフミラー部分を透過した光を反射させ、その進路を焦屈曲させて焦点検出部４０に導く。
【００１５】
撮像部３０は、シャッタ３１、ローパスフィルタ３２及び撮像素子３３を備える。シャッタ３１は、当該カメラ１００の全体制御を行うＭＣＵ２００からの信号によりシャッタスピードが制御される。
撮像素子３３は、撮像レンズ１０によって結像された被写体像を電気信号に変換する。たとえば、ＣＣＤやＣＭＯＳセンサー等である。
【００１６】
また、撮像素子３３の後部には基板３４が配置され、基板３４には、カメラ１００の全体制御を行うＭＣＵ２００及び後述する各種回路が配置されている。さらに、カメラ本体１００ａの撮影者側背面には、背面液晶モニタ３５が配置されている。
焦点検出部４０は、焦点検出用センサー４１を備える。焦点検出用センサー４１には、メインミラー２１から分岐され、サブミラー２２によって反射された光が入射する。
ファインダー部５０は、フォーカシングスクリーン５１と、ペンタプリズム５２と、接眼レンズ５３とを備える。
【００１７】
上記構成により、撮像レンズ１０を通過した被写体光は、メインミラー２１によって図１のＹプラス方向に反射され、フォーカシングスクリーン５１上に一旦結像される。フォーカシングスクリーン５１上で結像された被写体光は、ペンタプリズム５２を通り、接眼レンズ５３を経てファインダー５４に導かれる。
【００１８】
つぎに、図２に示すシステムブロック図に基づいて、カメラの制御システム構成を説明する。
ＭＣＵ２００は、カメラ１００を統括制御するマイクロコンピュータである。ＭＣＵ２００は、プログラムによって構成される各種機能部（２０１〜２０５）を備えている。機能部（２０１〜２０５）については後に詳述する。
【００１９】
撮像素子３３は、撮像レンズ１０よってその撮像面に結像された被写体像を、光電変換し、Ａ／Ｄ変換回路２１１へ出カする。
画像処理制御回路２１３は、Ａ／Ｄ変換回路２１１から出力された画像データに対して、ホワイトバランス調整、シャープネス調整、ガンマ補正等の各種画像補正及びゲイン制御部２１２からの指令によりゲイン制御を行う。
ＳＤＲＡＭ２１４は、画像処理制御回路２１３において処理されたデータを一時的に記憶するメモリである。
【００２０】
画像用記録媒体２１６は、コンパクトフラッシュ（登録商標）やＳＤカード、スマートメディア等、カメラ本体１００ａのスロットに着脱可能なメモリである。
背面液晶モニタ制御回路２１７は、背面液晶モニタ３５の表示を制御する回路である。
動画記録制御回路２１８は、撮像素子３３が撮像した画像をリアルタイムに背面液晶モニタ３５に表示させるライブビューと同じ画像を、つぎに説明する音声制御回路２１９で得られた音声データと共に最終的に記録させる。
音声制御回路２１９には、図示しないが内蔵マイクおよび内蔵スピーカー等が接続されており、内蔵マイクからの音声入力に基づいて音声データを形成し、動画再生時には音声テータに基づいて内蔵スピーカーから音声を出力する。
【００２１】
測光回路２２０は、被写体光を受光する図示しないサブイメージセンサから得られた出カをＡ／Ｄ変換して測光に関するデータをＭＣＵ２００に出カする回路である。
露出制御回路２２１は、後述するＭＣＵ２００における露出制御部２０４の制御下で、測光回路２２０から得られた被写体の輝度および撮像感度からシャッタスピードと撮像レンズの絞り値とを演算してシャッタ制御部２２２と絞り制御部２２３とゲイン制御部２１２とを自動制御する。この露出制御回路２２１による自動露出制御は、以下の説明において、ＡＥとも略記する。
【００２２】
レンズ情報入力回路２２４は、カメラ本体１００ａに装着された撮像レンズ１０から、その開放絞り値および焦点距離等の情報が電気信号によって入力される回路である。
焦点検出回路２２５は、図１に示すようにカメラ底部にある焦点検出用ラインセンサー２６から得られた出カをＡ／Ｄ変換してＭＣＵ２００に出カする回路である。ＭＣＵ２００は、この焦点検出回路２２５からの入力情報と、レンズ情報入力回路２２４からの入力情報を基にレンズ駆動回路２２６を制御して合焦を行う。
【００２３】
レンズ駆動回路２２６は、撮像レンズ１０の合焦レンズ群を駆動してＡＦ動作させるための回路である。レンズ駆動回路２２６は、ＭＣＵ２００によって制御される。ＭＣＵ２００は、レンズ情報入力回路２２４と、焦点検出回路２２５により得られた制御情報に基づいてＡＦ制御を行う。
【００２４】
モード設定回路２２７は、露出、オートフォーカス、画像などさまざまなモードを設定する回路であり、さらに、後述する設定操作部材２２８におけるＡＦ／ＡＥロック釦９１の機能モードの設定も行う。
【００２５】
設定操作部材２２８は、当該カメラ１００に対する設定操作を行う電源スイッチを含むスイッチ類であり、設定操作に応じた操作信号をＭＣＵ２００へ出カする。その中でＳＷ１はレリーズ釦の第１ストロークに連動する半押しスイッチであり、ＳＷ２はさらにレリーズ釦の第２ストロークと連動する全押しスイッチである。また、設定操作部材２２８は、後述する、ＡＦ／ＡＥロック釦９１（図３参照）、ライブビューを開始するライブビュー釦９２（図３参照）および動画記録を開始するマルチセレクタ９３の中央釦９３Ｍ（図３参照）を備えている。ＡＦ／ＡＥロック釦９１は、詳細は後述するが、ＡＦまたはＡＥの値を押圧時点における値への固定を指令するもので、その機能はモード設定回路２２７によって選択されるようになっている。
【００２６】
つぎに、前述した図１および図２に加えて図３〜図６を参照して、カメラ１００の静止画および動画の撮影時における操作と、ＭＣＵ２００によるオートフォーカスおよび自動露出制御について説明する。
図３は、カメラ１００の背面図である。図４は、静止画撮影時のフローチャートである。図５は、動画撮影時のフローチャートである。図６は、ＡＦ／ＡＥロック釦９１の操作とＡＦ／ＡＥ固定制御のフローチャートである。
【００２７】
ＭＣＵ２００は、図２中に示すように、静止画制御部２０１と、動画制御部２０２と、合焦制御部２０３と、露出制御部２０４と、ＡＦ／ＡＥ固定制御部２０５の、各機能部等を備えている。静止画制御部２０１は、静止画撮影を司る部分で、動画制御部２０２は、動画撮影を司る部分である。
合焦制御部２０３は、レンズ駆動回路２２６を介して撮像レンズ１０の合焦レンズ群を駆動してＡＦ動作させる、オートフォーカス制御を統括する。
【００２８】
露出制御部２０４は、撮像レンズの絞り値、シャッタスピードまたはゲイン値の何れかを含む動作パラメータの値を変更し、撮像素子３３が撮像した画像における被写体の輝度レベルを一定に保つように制御する。
ＡＦ／ＡＥ固定制御部２０５は、ＡＦまたはＡＥの固定を行う。
【００２９】
図３（ａ）に示すように、カメラ本体１００ａの背面には、前述した設定操作部材２２８（図２参照）を構成する種々の操作釦類が配設されている。ここでは、本実施形態の特徴部分であるＡＦ／ＡＥロックと、ライブビューおよび動画像記録に関連するものに絞って説明する。
【００３０】
カメラ本体１００ａの背面には、中央に背面液晶モニタ３５が配設されており、その周囲に、ＡＦ／ＡＥロック釦９１と、ライブビュー釦９２と、中央釦９３Ｍを備えるマルチセレクタ９３と、メニュー釦９４と、が設けられている。ライブビュー釦９２は、以下の説明ではＬＶ釦９２と呼称する。
【００３１】
ＡＦ／ＡＥロック釦９１は、背面液晶モニタ３５の右上側に配置されている。ＡＦ／ＡＥロック釦９１は、押圧操作によって、ＡＦまたはＡＥの値を押圧時点における値への固定を指令する。
ＡＦ／ＡＥロック釦９１の押圧による作用機能には複数のモード（ＡＦ固定モード，ＡＥ固定モードおよびＡＦ／ＡＥの双方固定モード）があり、その何れかを任意に設定可能となっている。
【００３２】
ＡＦ固定モードは、対象物に合焦させた状態で構図を変える場合等に用いられる。
ＡＥ固定モードは、たとえば測光モードをスポット測光に設定し、露出を特定の対象物の輝度に固定する際等に用いられる。
ＡＦ／ＡＥの双方固定モードは、上記ＡＦ固定とＡＥ固定とを行うものである。
【００３３】
また、ＡＦ／ＡＥロック釦９１は、その押圧操作によるスイッチングに関しても２つ設定モード（第１の設定モードおよび第２の設定モード）を備えており、その何れかを任意に設定可能となっている。
第１の設定モードは、ＡＦ／ＡＥロック釦９１を押圧操作している間（押圧操作継続中）に、ＡＦ／ＡＥ固定が行われる。
【００３４】
第２の設定モードは、ＡＦ／ＡＥロック釦９１を一度押圧操作するとＡＦ／ＡＥ固定が行われ、ＡＦ／ＡＥロック釦９１を再度押圧操作するとＡＦ／ＡＥ固定が解除される。つまり、ＡＦ／ＡＥロック釦９１を押圧操作すると、再度押圧操作するまでＡＦ／ＡＥ固定が行われるものである。
ＡＦ／ＡＥロック釦９１における設定モードの変更は、モード設定回路２２７によって行われる。
ＡＦ／ＡＥロック釦９１の押圧によるＡＦ／ＡＥ固定制御は、モード設定回路２２７による設定に基づいて、ＭＣＵ２００のＡＦ／ＡＥ固定制御部２０５が行う。
【００３５】
ＬＶ釦９２は、背面液晶モニタ３５の右下側に配置されており、押圧することでライブビューを開始（ＯＮ）させる機能が割り付けられている。ライブビューが開始されると、前述したように、動画撮影の待機状態となる。
マルチセレクタ９３は、背面液晶モニタ３５の右側に配置されており、中央釦９３Ｍを押圧することで動画記録を開始（ＯＮ）させる機能が割り付けられている。
メニュー釦９４は、背面液晶モニタ３５の左上側に配置されており、背面液晶モニタ３５に操作メニューを呼び出すことを主機能とするが、ライブビュー及び動画記録時においては、その押圧によってライブビュー及び動画記録を終了（ＯＦＦ）する機能が割り付けられている。
【００３６】
静止画撮影は、ＭＣＵ２００の静止画制御部２０１によって制御されて、図４のフローチャートに示すように行われる。
電源スイッチがＯＮされると、撮影待機状態となってＡＥ処理を開始する（ステップ０１）。なお、以下の説明および図では、「ステップ」は「Ｓ」とも略記する。
【００３７】
ついで、レリーズ釦の半押し操作（ＳＷ１→ＯＮ）が行われると（Ｓ０２，ＹＥＳ）、ＡＦ制御を行う（Ｓ０３）。
そして、レリーズ釦が全押し操作（ＳＷ２→ＯＮ）される（Ｓ０４，ＹＥＳ）と、撮影（静止画記録）を行う（Ｓ０５）。
撮影終了後は、電源スイッチがＯＦＦされる（Ｓ０６，ＹＥＳ）まで、撮影待機状態を継続する。
【００３８】
動画撮影は、ＭＣＵ２００の動画制御部２０２によって制御されて、図５のフローチャートに示すように行われる。動画撮影は、前述したようにライブビューが前提である。
ＬＶ釦９２の押圧操作により、撮像を開始し（Ｓ１１）、ＡＥ処理を開始する（Ｓ１２）。そして、例えばレリーズスイッチの半押しによるＡＦ制御の指示が行われると（Ｓ１３，Ｙｅｓ）、ＡＦ制御を行い（Ｓ１４）、背面液晶モニタ３５に画像を表示する（Ｓ１５）。すなわち、ライブビューが行われ、動画撮影の待機状態となる。なお、レリーズスイッチが半押しされない場合（Ｓ１３，Ｎｏ）、ＡＦ制御を行わずに、背面液晶モニタ３５に画像を表示する（Ｓ１５）。
【００３９】
そして、マルチセレクタ９３の中央釦９３Ｍの押圧操作による記録指令が行われる（Ｓ１６，ＹＥＳ）と、撮影（動画記録）を行う（Ｓ１７）。
動画記録時においても、ＡＥ処理を開始する（Ｓ１８）。そして、例えばレリーズスイッチが半押しされると（Ｓ１９，Ｙｅｓ）、上記と同様に例えばレリーズスイッチの半押しによるＡＦ制御の指示が行われると（Ｓ１９，Ｙｅｓ）、ＡＦ制御を行う（Ｓ２０）、なお、レリーズスイッチが半押しされない場合（Ｓ１９，Ｎｏ）、ＡＦ制御は行われずに、撮影（動画記録）を行う（Ｓ２２）。
撮影は、メニュー釦９４が押圧操作される（Ｓ２１，ＹＥＳ）まで継続する。
メニュー釦９４が押圧操作される（Ｓ２１，ＹＥＳ）と、待機状態に戻る。
【００４０】
ここで、前述した、ＡＦ／ＡＥロック釦９１における設定モードは、静止画撮影、又はライブビュー表示の場合にはモード設定回路２２７の設定に従って機能するが、動画撮影の場合にはモード設定回路２２７の設定の如何に拘わらず第２の設定モードに切り替わるようになっている。
【００４１】
つぎに、このＡＦ／ＡＥロック釦９１の操作とＡＦ／ＡＥ固定制御について、図６に示すフローチャートに従って説明する。この設定モードの切り替えは、ＭＣＵ２００のＡＦ／ＡＥ固定制御部２０５が、合焦制御部２０３および露出制御部２０４を制御して行われる。
なお、図示フローチャート中、「ＡＦ／ＡＥ固定」と表示した作用は、ＡＦ／ＡＥロック釦９１における設定された機能が作用するものとする。すなわち、ＡＦ固定、ＡＥ固定またはＡＦ／ＡＥの双方固定の何れかである。
【００４２】
図６のＡＦ／ＡＥ固定制御のフローチャートに示すように、ＡＦ／ＡＥロック釦９１が押圧操作されると、動画撮影中か否かを判定する（Ｓ３１）。
ステップ３１において動画撮影中ではないと判定された場合（ＮＯ）には、静止画撮影の待機状態であると判断し、ついで、設定モードを判定する（Ｓ３２）。ここで、第１設定モードが選択されていると判定されると（Ｓ３２，ＹＥＳ）、ＡＦ／ＡＥを固定する（Ｓ３３）。そして、ＡＦ／ＡＥロック釦９１の押圧操作が解除される（Ｓ３４，ＹＥＳ）と、ＡＦ／ＡＥの固定を解除する（Ｓ３７）。つまり、ＡＦ／ＡＥロック釦９１が押圧操作されている間、ＡＦ／ＡＥを固定する。
【００４３】
一方、ステップ３１において動画撮影中であると判定された場合（ＹＥＳ）には、設定モードを判定することなく（ステップ３２を通過せずに）、ＡＦ／ＡＥを固定（Ｓ３５）する。ＡＦ／ＡＥロック釦９１が再度押圧操作される（Ｓ３６，ＹＥＳ）と、ＡＦ／ＡＥの固定を解除する（Ｓ３７）。つまり、設定モードの設定の如何に拘わらず、ＡＦ／ＡＥロック釦９１が再度押圧操作されるまで、ＡＦ／ＡＥの固定は継続する。
【００４４】
また、ステップ３２において設定モードが第１設定モードに設定されていない（すなわち第２設定モードに設定されている）と判定された場合にも、ＡＦ／ＡＥを固定（Ｓ３５）し、ＡＦ／ＡＥロック釦９１が再度押圧操作される（Ｓ３６，ＹＥＳ）と、ＡＦ／ＡＥの固定を解除する（Ｓ３７）。
【００４５】
このような制御により、動画撮影中においては、ＡＦ／ＡＥロック釦９１における設定モードは、そのモード設定の如何に拘わらず第２の設定モードに切り替わる。つまり、ＡＦ／ＡＥロック釦９１が押圧操作されるとＡＦ／ＡＥを固定し、ＡＦ／ＡＥロック釦９１が再度押圧操作されると解除する。
これにより、動画撮影中において、ＡＦ／ＡＥロック釦９１の押圧を継続する操作に煩わされることなく撮影に集中することが可能となる。また、撮影中にＡＦ／ＡＥロック釦９１を操作することに起因するブレを防ぐことができる。
【００４６】
以上、本実施形態によると、以下の効果を有する。
（１）動画像記録時においては、ＡＦ／ＡＥロック釦９１における設定モードは、そのモード設定の如何に拘わらず第２の設定モードに切り替わる。このため、動画撮影中においてＡＦまたはＡＥを継続的に固定したい場合に、ＡＦ／ＡＥロック釦９１を押圧し続ける必要が無く、ＡＦ／ＡＥロック釦９１の押圧を継続する操作に煩わされることなく撮影に集中することが可能となる。また、撮影中にＡＦ／ＡＥロック釦９１を操作することに起因するブレを防ぐことができる。
【００４７】
（変形形態）
以上、説明した実施形態に限定されることなく、以下に示すような種々の変形や変更が可能であり、それらも本発明の範囲内である。
（１）上記実施形態では、カメラ本体１００ａは、１つのＡＦ／ＡＥロック釦９１の機能モードを、ＡＦ固定モード，ＡＥ固定モードおよびＡＦ／ＡＥの双方固定モードを切り替える構成のものである。しかし、ＡＦ／ＡＥロック釦は機能別に独立させて構成しても良い。すなわち、図３（ｂ）に示すカメラ本体１００ｂのように、ＡＦロック釦９１ＦとＡＥロック釦９１Ｅと別々として並設して構成しても良いものである。図中他の構成要素の符号は、図３（ａ）に示すカメラ本体１００ａと同一である。
なお、実施形態及び変形形態は、適宜組み合わせて用いることもできるが、詳細な説明は省略する。また、本発明は以上説明した実施形態によって限定されることはない。
【符号の説明】
【００４８】
１００：カメラ、１０：撮影レンズ、１００ａ：カメラ本体、２００：ＭＣＵ、２０１：静止画制御部、２０２：動画制御部、２０３：合焦制御部、２０４：露出制御部、２０５：ＡＦ／ＡＥ固定制御部、２１８：動画記録制御回路、２２１：露出制御回路、２２２：シャッタ制御部、２２３：絞り制御部、２２５：焦点検出回路、２２７：モード設定回路、２２８：設定操作部材２２８
【図１】
2011015208.tif 000003
【図２】
2011015208.tif 000004
【図３】
2011015208.tif 000005
【図４】
2011015208.tif 000006
【図５】
2011015208.tif 000007
【図６】
2011015208.tif 000008